(57)【要約】      （修正有）【課題】容器の抜出を抑制するカップスリーブを提供する。【解決手段】カップスリーブは、本体１１１およびダンパー部２００を備える。本体１１１は、紙、プラスチック、アクリル、またはＰＥＴなどの断熱材料により形成され、コップ、瓶、または缶を含む容器を収容可能な筒状であり、一端の筒径が他端の筒径より大きく形成されている。ダンパー部２００は、本体１１１の内側に環状に設けられ、本体１１１の中心軸側に突出するシートを複数有する。シートは、本体１１１の一端に環状に配列されているダンパーシート２０１、シワ付シート、波状シート、または台形シートのうち少なくとも一つを含む。【選択図】図１
0003184292.tif 000002
【実用新案登録請求の範囲】
【請求項１】
本体（１１１）およびダンパー部（２００）を備え、
本体（１１１）は、紙、プラスチック、アクリル、またはＰＥＴの断熱材料により形成され、コップ、瓶、または缶を含む容器（１００）を収容可能な筒状であり、一端の筒径が他端の筒径より大きく形成されており、
ダンパー部（２００）は、本体（１１１）の内側に環状に設けられ、本体（１１１）の中心軸側に突出するシートを複数有し、
シートは、本体（１１１）の一端に環状に配列されているダンパーシート（２０１）、シワ付シート（２０２）、波状シート（２０３）、または台形シート（２０４）のうち少なくとも一つを含み
コップ、瓶または缶を含む容器を収容可能であることを特徴とするカップスリーブ。
【請求項２】
ダンパー部（２００）は、本体（１１１）と一体形成され、１つ以上の環状シート列を形成するダンパーシート（２０１）を有し、又は別の摩擦材料により形成されるダンパーシート（２０１）を有し、接合、釘接合、縫い合わせ、係合、又は本体（１１１）の側縁部および内部の両方又はいずれか一方に重ね合わせることにより、コップ、瓶又は缶を含む容器（１００）に組み合わせた後の防滑機能および断熱空間を提供することを特徴とする請求項１に記載のカップスリーブ。
【請求項３】
ダンパー部（２００）は、本体（１１１）と一体形成され、１つ以上の環状シート列を形成するシワ付シート（２０２）を有し、又は別の摩擦材料によりシワ付シート（２０２）を有し、接合、釘接合、縫い合わせ、係合、又は本体（１１１）の側縁部および内部の両方又はいずれか一方に重ね合わせることにより、コップ、瓶又は缶を含む容器（１００）との間の滑りを抑制し、断熱機能を提供することを特徴とする請求項１に記載のカップスリーブ。
【請求項４】
ダンパー部（２００）は、本体（１１１）と一体形成され、環状シート列を形成する台形シート（２０４）を有し、又は、別の摩擦材料により形成される台形シート（２０４）を有し、接合、釘接合、縫い合わせ、係合、又は本体（１１１）の側縁部に重ね合わせることにより、コップ、瓶又は缶を含む容器（１００）との間の滑りを抑制し、断熱機能を提供することを特徴とする請求項１に記載のカップスリーブ。
【請求項５】
ダンパー部（２００）は、本体（１１１）の内側に曲がるよう本体（１１１）と一体に形成され一つの環状シート列を形成する切出シート（２０５）を有し、又は別の摩擦材料により形成される内壁付シート（２０６）を有し、接合、釘接合、縫い合わせ、係合、又は本体（１１１）の内部に重ね合わせることにより、コップ、瓶又は缶を含む容器（１００）との間の滑りを抑制し、断熱機能を提供し、
ダンパーシート（２０１）又は内壁付シート（２０６）の形状は、波状又は台形であり、
切出シート（２０５）又は内壁付シート（２０６）の形状は、同じ形状又は異なる形状であることを特徴とする請求項１に記載のカップスリーブ。
【請求項６】
ダンパー部（２００）は、本体（１１１）の内側に曲がるよう本体（１１１）と一体に形成され、２つ以上の環状シート列を形成する切出シート（２０５）を有し、又は別の摩擦材料により形成される内壁付シート（２０６、２０７）を有し、接合、釘接合、縫い合わせ、係合、又は本体（１１１）の内部に重ね合わせることにより、コップ、瓶又は缶を含む容器（１００）との間の滑りを抑制し、断熱機能を提供し、
ダンパーシート（２０１）の形状は、波状又は台形であり、
切出シート（２０５）又は内壁付シート（２０６、２０７）の形状は、同じ形状又は異なる形状であり、
切出シート（２０５）の数と円環部（２０６、２０７）の数とは、同一または異なることを特徴とする請求項１に記載のカップスリーブ。
【請求項７】
ダンパー部（２００）は、本体（１１１）の内側に曲がるよう本体（１１１）と一体に形成され、２つ以上のマトリックス型多重環状シート列を形成する切出シート（２０５）を有し、又は別の摩擦材料により形成される内壁付シート（２０６、２０７）を有しし、接合、釘接合、縫い合わせ、係合、又は本体（１１１）の内部に重ね合わせることにより、コップ、瓶又は缶を含む容器（１００）との間の滑りを抑制し、断熱機能を提供し、
切出シート（２０５）又は円環部（２０６、２０７）の形状は、波状又は台形であり、
切出シート（２０５）又は内壁付シート（２０６、２０７）の形状は、同じ形状又は異なる形状であり、
切出シート（２０５）の数と内壁付シート（２０６、２０７）の数とは、同一または異なることを特徴とする請求項１に記載のカップスリーブ。
【請求項８】
ダンパー部（２００）は、ダンパー部（２００）の根部の中央部が本体（１１１）の内側に曲がることにより形成されており、切出シート（２０５）と本体（１１１）とを連結する連結アーム（２１１）を有し、切出シート（２０５）とコップ、瓶又は缶を含む容器（１００）との間の摩擦力を向上し、
１）本体（１１１）と一体形成されている切出シート（２０５）が環状シート列を形成し、又は別の摩擦材料により形成される内壁付シート（２０６）が形成され、接合、釘接合、縫い合わせ、係合、又は本体（１１１）の周りに重ね合わせることにより、コップ、瓶又は缶を含む容器（１００）との間の滑りを抑制し、断熱機能を提供し、
切出シート（２０５）又は内壁付シート（２０６）の形状は、波状又は台形であり、
上切出シート（２０５）又は内壁付シート（２０６）の形状は、同じ形状又は異なる形状である構成、
２）本体（１１１）と一体形成されている切出シート（２０５）が２つ以上の環状シート列を形成し、又は別の摩擦材料により形成されている円環部（２０６、２０７）が形成され、接合、釘接合、縫い合わせ、係合、又は本体（１１１）の周りに重ね合わせることにより、コップ、瓶又は缶を含む容器（１００）との間の滑りを抑制し、断熱機能を提供し、
切出シート（２０５）又は内壁付シート（２０６、２０７）の形状は、波状又は台形であり、
切出シート（２０５）又は内壁付シート（２０６、２０７）の形状は、同じ形状又は異なる形状であり、
切出シート（２０５）の数と内壁付シート（２０６、２０７）の数とが、同じ又は異なる構成、または、
３）本体（１１１）と一体形成されている切出シート（２０５）が多重環状シート列を形成し、又は別の摩擦材料により形成されている内壁付シート（２０６、２０７）が形成され、接合、釘接合、縫い合わせ、係合、又は本体（１１１）の周りに重ね合わせることにより、コップ、瓶又は缶を含む容器（１００）との間の滑りを抑制し、断熱機能を提供し、
切出シート（２０５）又は内壁付シート（２０６、２０７）の形状は、波状又は台形であり、
切出シート（２０５）又は内壁付シート（２０６、２０７）の形状は、同じ形状又は異なる形状であり、
切出シート（２０５）の数と内壁付シート（２０６、２０７）の数とは、同じ又は異なる構成であることを特徴とする請求項１に記載のカップスリーブ。
【請求項９】
ダンパー部（２００）は、係合、接合、又は釘接合により本体（１１１）の内側に結合されている円環部（２０６）を有することを特徴とする請求項１に記載のカップスリーブ。
【請求項１０】
ダンパー部（２００）は、係合、接合、又は釘接合により本体（１１１）の内側に結合されている円環部（２０６）および円環部（２０７）を有することを特徴とする請求項１に記載のカップスリーブ。
【請求項１１】
逆ダンパー部（２００）は、係合、接合、又は釘接合により本体（１１１）の開口部の外壁に設けられており∩字状に形成されている外壁付シート（２０８）を有することを特徴とする請求項１に記載のカップスリーブ。
【請求項１２】
ダンパー部（２００）は、
係合、接合、又は釘接合により本体（１１１）の一方の開口部の外壁に設けられており、∩字状に形成されている外壁付シート（２０８）、
本体（１１１）の内側に曲がるよう形成されている切出シート（２０５）、および、
係合、接合、又は釘接合により本体（１１１）の他方の開口部の外壁に設けられており、∩字状に形成されている外壁付シート（２０９）、を有することを特徴とする請求項１に記載のカップスリーブ。
【請求項１３】
ダンパー部（２００）は、本体（１１１）の一方の開口から本体（１１１）の内側に曲がるよう本体（１１１）と一体に形成されている一体型シート（２１８）を有することを特徴とする請求項１に記載のカップスリーブ。
【請求項１４】
ダンパー部（２００）は、
本体（１１１）の一方の開口から本体（１１１）の内側に曲がるよう本体（１１１）と一体に形成されており、一つの曲がり角を有する一体型シート（２１８）、および、
本体（１１１）の他方の開口から本体（１１１）の内側に曲がるよう本体（１１１）と一体に形成されており、二つの曲り角を有する一体型シート（２１９）を有する
ことを特徴とする請求項１に記載のカップスリーブ。
【考案の詳細な説明】
【技術分野】
【０００１】
本考案は、カップスリーブに関する。
【背景技術】
【０００２】
従来のカップスリーブは、平行、又は、上側の穴径が比較的に大きく形成され、下側の穴径が比較的小さいく形成されているリング状であり、コップ、瓶又は缶を含む容器に被せる。
【先行技術文献】
【特許文献】
【０００３】
【特許文献１】特願２００７−５５１０３号公報
【考案の概要】
【考案が解決しようとする課題】
【０００４】
また、従来のカップスリーブは、コップ、瓶又は缶を含む容器より直径が大きく形成されており、コップ、瓶又は缶を含む容器に被せると、容器が脱落しやすくなる。
本考案は、上記問題に鑑見てなされたものであり、その目的は容器の抜出を抑制するカップスリーブを提供することにある。
【課題を解決するための手段】
【０００５】
本考案のカップスリーブは、本体（１１１）およびダンパー部（２００）を備える。
本体（１１１）は、紙、プラスチック、アクリル、またはＰＥＴなどの断熱材料により形成され、コップ、瓶、または缶を含む容器（１００）を収容可能な筒状であり、一端の筒径が他端の筒径より大きく形成されている。ダンパー部（２００）は、本体（１１１）の内側に環状に設けられ、本体（１１１）の中心軸側に突出するシートを複数有する。シートは、本体（１１１）の一端に環状に配列されているダンパーシート（２０１）、シワ付シート（２０２）、波状シート（２０３）、または台形シート（２０４）のうち少なくとも一つを含む。
これにより、コップ、瓶または缶を含む容器を収容するとき、ダンパー部（２００）のシートにより容器の抜出を抑制し、容器と本体との間の隙間により断熱効果を高めることができる。
【図面の簡単な説明】
【０００６】
【図１】本考案の第一実施形態によるカップスリーブを示す模式図。
【図２】本考案の第一実施形態によるカップスリーブを示す模式図。
【図３】本考案の第二実施形態によるカップスリーブを示す模式図。
【図４】本考案の第二実施形態によるカップスリーブを示す模式図。
【図５】本考案の第三実施形態によるカップスリーブを示す模式図。
【図６】本考案の第三実施形態によるカップスリーブを示す模式図。
【図７】本考案の第四実施形態によるカップスリーブを示す模式図。
【図８】本考案の第四実施形態によるカップスリーブを示す模式図。
【図９】本考案の第五実施形態によるカップスリーブを示す模式図。
【図１０】本考案の第五実施形態によるカップスリーブを示す模式図。
【図１１】本考案の第六実施形態によるカップスリーブを示す模式図。
【図１２】本考案の第六実施形態によるカップスリーブを示す模式図。
【図１３】本考案の第七実施形態によるカップスリーブを示す模式図。
【図１４】本考案の第七実施形態によるカップスリーブを示す模式図。
【図１５】本考案の第八実施形態によるカップスリーブを示す模式図。
【図１６】本考案の第八実施形態によるカップスリーブの要部拡大図。
【図１７】本考案の第八実施形態によるカップスリーブを示す要部断面図である。
【図１８】本考案の第九実施形態によるカップスリーブを示す模式図である。
【図１９】本考案の第十実施形態によるカップスリーブを示す模式図である。
【図２０】本考案の第十実施形態によるカップスリーブを示す模式図である。
【図２１】本考案の第十一実施形態によるカップスリーブを示す模式図である。
【図２２】本考案の第十二実施形態によるカップスリーブを示す模式図である。
【図２３】本考案の第十三実施形態によるカップスリーブを示す模式図である。
【図２４】本考案の第十四実施形態によるカップスリーブを示す模式図である。
【図２５】本考案の第十五実施形態によるカップスリーブを示す模式図である。
【図２６】本考案の第十六実施形態によるカップスリーブを示す模式図である。
【考案を実施するための形態】
【０００７】
本考案の実施形態を図面に基づいて説明する。
（第一実施形態）
本考案の第一実施形態によるカップスリーブを図１、２に示す。
本実施形態のカップスリーブのエッジフレーム又はカップ本体の内側の両方、又はいずれか一方は、１つ又は１つの環以上の環列状を備え、また内部に湾入するダンパー部であり、上述したカップスリーブをコップ、瓶又は缶を含む容器に被せるとき、ダンパー部を通して、防滑ダンパーのアンチルーズを高めることにより、カップスリーブをコップ、瓶又は缶を含む容器から離脱しにくいようにして、および、ダンパー部を通して、カップカップスリーブとコップ、瓶又は缶を含む容器の隙間を広げることにより、断熱効果を高める。
【０００８】
上述したダンパー部は、カップスリーブのエッジフレーム又はカップ本体の内側の両方又はいずれか一方を１つ又は１つの環以上の環列状に作り、被せる方向から逆方向に下湾する折シワ状ダンパー構造、鋸歯状ダンパー構造、波状ダンパー構造、台形状ダンパー構造の中の一種又は一種以上の組み合わせにより構成されることを含む。
【０００９】
本考案の容器（１００）は、円形、円形に近い形状、又は多角形の筒状容器を指す。平行、非平行、又は錐形構造のコップ、瓶又は缶を含む容器を含む。その中の片側にある底部（１０２）は、開口部（１０１）と平行し、かつ同じサイズである。又は他側は開口部（１０１）であり、或いは開くことができる開口部（１０１）であり、底部と平行し、かつ同じサイズであり、又は外径は比較的小さく或いは外径は比較的大きい構造である。外径が比較的小さく又は外径は比較的大きい構造は、流体、粉体、顆粒状物体、又はコロイド体を装填するコップ、瓶又は缶を含む容器である。
【００１０】
図１に示すように、本考案はダンパーシート（２０１）により構成され、本体（１１１）のダンパー部（２００）の展開模式図である。
【００１１】
図２に示すように、開口部（１０１）が上に向かうコップ形容器と図１の本体（１１１）の結合状態を示す断面模式図である。
図１と図２に示すように、その主な構造は次の通りである。
【００１２】
本体（１１１）は、紙、プラスチック、アクリル、ＰＥＴなどの断熱材料により構成され、またコップ、瓶又は缶を含む容器（１００）の幾何形状と大きさを許容できる平行筒状構造、又は上部口径が比較的大きく、下部口径が比較的小さい錐形筒状構造を備え、カップスリーブの辺側又は内部の両方又はいずれか一方を１つ又は１つの環以上の環列状の内部に湾入するダンパー部（２００）に作る。
【００１３】
上述したダンパー部（２００）は、カップスリーブの辺側又は内部の両方又はいずれか一方を１つ又は１つの環以上の環列状が被せる方向から逆方向に下湾するダンパーシート（２０１）に作り、又はシワ付シート（２０２）、波状シート（２０３）、又は台形シート（２０４）の中の一種又は一種以上の組み合わせにより構成されることを含む。
【００１４】
上述した本体（１１１）をコップ、瓶又は缶を含む容器に被せるとき、ダンパー部（２００）を通して、アンチルーズの防滑ダンパーを提供することにより、カップスリーブはコップ、瓶又は缶を含む容器から離脱しにくいようにして、およびダンパー部を通して、カップカップスリーブとコップ、瓶又は缶を含む容器の隙間を広げることにより、断熱効果を高める。
【００１５】
上述した本体（１１１）をコップ、瓶又は缶を含む容器（１００）に重ね合わせ、図２に開口部（１０１）が上に向かう容器と本考案本体（１１１）の結合状態を示す断面模式図である。
本実施形態の本体（１１１）の各種ダンパー部（２００）の構造例の説明は、下記の通りである。
【００１６】
（第二実施形態）
本考案の第二実施形態によるカップスリーブを図３、４に示す。
図３は、シワ付シート（２０２）により本体（１１１）を構成する実施形態のダンパー部（２００）を示す展開模式図である。
図４は開口部（１０１）が上に向かう容器と図３の本体（１１１）の結合状態を示す断面模式図である。
【００１７】
図３と図４に示すように、その主な構造は、本体（１１１）本体と一体構造である本体（１１１）および内側に曲げる１つ又は１つの環以上の環列状のダンパーシート（２０１）を構成する。又は別の摩擦材料により内側に曲げるダンパーシート（２０１）を構成し、かつ１つ又は１つの環以上の環列状を接合、釘接合、縫い合わせ、係合、又は本体（１１１）の辺側又は内部の両方又はいずれか一方に重ね合わせることにより、コップ、瓶又は缶を含む容器（１００）に組み合わせた後の防滑ダンパーおよび断熱空間を提供する。
【００１８】
（第三実施形態）
本考案の第三実施形態によるカップスリーブを図５、６に示す。
図５は、波状シート（２０３）により本体（１１１）を構成する実施形態のダンパー部（２００）を示す展開模式図である。
図６は開口部（１０１）が上に向かう容器と図５の本体（１１１）の結合状態を示す模式図である。
【００１９】
図５と図６に示すように、その主な構造は、本体（１１１）本体と一体構造である内側に曲げる１つ又は１つの環以上の環列状のシワ付シート（２０２）を構成する。又は別の摩擦材料により内側に曲げるシワ付シート（２０２）を構成し、かつ１つ又は１つの環以上の環列状を接合、釘接合、縫い合わせ、係合、又は本体（１１１）の辺側又は内部両方又はいずれか一方に重ね合わせることにより、コップ、瓶又は缶を含む容器（１００）に組み合わせた後の防滑ダンパーおよび断熱空間を提供する。
【００２０】
（第四実施形態）
本考案の第四実施形態によるカップスリーブを図７、８に示す。
図７は、台形シート（２０４）により本体（１１１）を構成する実施形態のダンパー部（２００）を示す展開模式図である。
図８は開口部（１０１）が上に向かう容器と図７の本体（１１１）の結合状態を示す断面模式図である。
【００２１】
図７と図８に示すように、その主な構造は、本体（１１１）本体と一体構造である内側に曲げることにより環列状の台形シート（２０４）を構成する。又は別の摩擦材料により内側に曲げる台形シート（２０４）を構成し、かつ１つの環の環列状を接合、釘接合、縫い合わせ、係合、又は本体（１１１）の辺側に重ね合わせることにより、コップ、瓶又は缶を含む容器（１００）に組み合わせた後の防滑ダンパーおよび断熱空間を提供する。
【００２２】
本実施形態の本体（１１１）を更に一歩進ませ、カップスリーブの内側に切出シート（２０５）を構成する本体（１１１）のダンパー部（２００）を設置する。
【００２３】
（第五実施形態）
本考案の第五実施形態によるカップスリーブを図９、１０に示す。
図９は、カップスリーブの周りに環設する切出シート（２０５）により本体（１１１）を構成する実施形態のダンパー部（２００）を示す展開模式図である。
図１０は開口部（１０１）が上に向かう容器と図９の本体（１１１）の結合状態を示す断面模式図である。
【００２４】
図９と図１０に示すように、その主な構造は、本体（１１１）本体の周りの一体構造により１つの環を環設する切出シート（２０５）を作る。又は別の摩擦材料により内側に曲げる内壁付シート（２０６）（図２１参照）を構成し、かつ１つの環の環列状を接合、釘接合、縫い合わせ、係合、又は本体（１１１）の内部の周りに重ね合わせることにより、コップ、瓶又は缶を含む容器（１００）に組み合わせた後の防滑ダンパーおよび断熱空間を提供する。
【００２５】
上述したダンパーシート（２０１）又は内壁付シート（２０６）の形状は、波状又は台形である。
上述した同一環の各切出シート（２０５）又は内壁付シート（２０６）の形状は同じ形状又は違う形状である。
【００２６】
（第六実施形態）
本考案の第六実施形態によるカップスリーブを図１１、１２に示す。
図１１は、カップスリーブの周りの２つ又は２つの環以上の多環を交錯させて環設する切出シート（２０５）により、本体（１１１）の多環を環設するダンパー部（２００）を構成する実施形態を示す展開模式図である。
図１２は開口部（１０１）が上に向かう容器と図１１の本体（１１１）の結合状態を示す断面模式図である。
【００２７】
図１１と図１２に示すように、その主な構造は、本体（１１１）本体の周りの一体構造により２つ又は２つの環以上の多環を環設する切出シート（２０５）を作る。又は別の摩擦材料により内壁付シート（２０６、２０７）（図２２参照）を構成し、かつ２つ又は２つの環以上の多環を交錯させた環列状を接合、釘接合、縫い合わせ、係合、又は本体（１１１）内部の周りに重ね合わせすることにより、コップ、瓶又は缶を含む容器（１００）に組み合わせた後の防滑ダンパーおよび断熱空間を提供する。
上述したダンパーシート（２０１）の形状は、波状又は台形である。
【００２８】
上述した同一環又は別の環の各切出シート（２０５）又は内壁付シート（２０６、２０７）の形状は、同じ形状又は違う形状である。
【００２９】
上述した別の環の切出シート（２０５）又は内壁付シート（２０６、２０７）は、同じ数量又は違う数量にすることができる。
【００３０】
（第七実施形態）
本考案の第七実施形態によるカップスリーブを図１３、１４に示す。
図１３は、カップスリーブの周りの２つ又は２つの環以上のマトリックス型多環を環設する切出シート（２０５）により、本体（１１１）の多環を環設するダンパー部（２００）を構成する実施形態展開模式図である。
図１４は円筒形容器と図１３のカップスリーブの結合状態を示す断面模式図である。
【００３１】
図１３と図１４に示すように、その主な構造は、本体（１１１）本体の周りの一体構造により２つ又は２つの環以上のマトリックス型多環を環設する切出シート（２０５）を作る。又は別の摩擦材料により内壁付シート（２０６、２０７）（図２２参照）を構成し、かつ２つ又は２つの環以上のマトリックス型多環の環列状を接合、釘接合、縫い合わせ、係合、又は本体（１１１）内部の周りに重ね合わせることにより、コップ、瓶又は缶を含む容器（１００）に組み合わせた後の防滑ダンパーおよび断熱空間を提供する。
【００３２】
上述した切出シート（２０５）又は内壁付シート（２０６、２０７）の形状は、波状又は台形である。
【００３３】
上述した同一環又は別の環の各切出シート（２０５）又は内壁付シート（２０６、２０７）の形状は、同じ形状又は違う形状である。
【００３４】
上述した別の環の切出シート（２０５）又は内壁付シート（２０６、２０７）は、同じ数量又は違う数量にすることができる。
【００３５】
本実施形態のカップスリーブのダンパー部（２００）を更に一歩進ませ、切出シート（２０５）と本体（１１１）を連結する根部の中央部を外部に曲げることにより、ダンパー部（２００）の内部に曲げる連結アーム（２１１）を推進するように作ることにより、切出シート（２０５）に対して内側に曲げる予力を与え、切出シート（２０５）がコップ、瓶又は缶を含む容器（１００）に対する逆方向の摩擦ダンパーを強化する。
【００３６】
（第八実施形態）
本考案の第八実施形態によるカップスリーブを図１５、１６に示す。
図１５は図９実施形態のカップスリーブの周りに環設する切出シート（２０５）を更に一歩進ませ、内部に曲げる連結アーム（２１１）を備える展開模式図である。
図１６は図１５の立体構造の断面図である。
【００３７】
図１５と図１６に示すように、その主な構造は、本体（１１１）本体の周りの一体構造により１つの環を環設する切出シート（２０５）を作る。又は別の摩擦材料により内壁付シート（２０６）（図２１参照）を構成し、かつ１つの環の環列状を接合、釘接合、縫い合わせ、係合、又は本体（１１１）内部の周りに重ね合わせることにより、コップ、瓶又は缶を含む容器（１００）に組み合わせた後の防滑ダンパーおよび断熱空間を提供する。
【００３８】
上述した切出シート（２０５）又は内壁付シート（２０６）の形状は、波状又は台形である。
【００３９】
上述した同一環の各切出シート（２０５）又は内壁付シート（２０６）の形状は、同じ形状又は違う形状である。
図１７は図１５とカップ本体を重ね合わせる模式図である。
【００４０】
（第九実施形態）
本考案の第九実施形態によるカップスリーブを図１８に示す。
図１８はカップスリーブの周りの２つ又は２つの環以上の多環を交錯させて環設する切出シート（２０５）を更に一歩進ませ、内部に曲げる連結アーム（２１１）を備える展開模式図である。
【００４１】
図１８に示すように、その主な構造は、本体（１１１）本体の周りの一体構造により２つ又は２つの環以上の多環を環設する切出シート（２０５）を作る。又は別の摩擦材料により内壁付シート（２０６、２０７）（図２２参照）を構成し、かつ２つ又は２つの環以上の多環の環列状を接合、釘接合、縫い合わせ、係合、又は本体（１１１）内部の周りに重ね合わせることにより、コップ、瓶又は缶を含む容器（１００）に組み合わせた後の防滑ダンパーおよび断熱空間を提供する。
【００４２】
上述した切出シート（２０５）又は内壁付シート（２０６、２０７）の形状は、波状又は台形である。
【００４３】
上述した同一環の各切出シート（２０５）又は内壁付シート（２０６、２０７）の形状は、同じ形状又は違う形状である。
【００４４】
上述した別の環の切出シート（２０５）又は内壁付シート（２０６、２０７）は、同じ数量又は違う数量にすることができる。
【００４５】
（第十実施形態）
本考案の第十実施形態によるカップスリーブを図１９に示す。
図１９はカップスリーブの周りの２つ又は２つの環以上のマトリックス型多環を環設する切出シート（２０５）を更に一歩進ませ、内部に曲げる連結アーム（２１１）を備える展開模式図である。
【００４６】
図１９に示すように、その主な構造は、本体（１１１）本体の周りの一体構造により多環を環設する切出シート（２０５）を作る。又は別の摩擦材料により内壁付シート（２０６、２０７）（図２２参照）を構成し、かつ２つ又は２つの環以上のマトリックス式多環の環列状を接合、釘接合、縫い合わせ、係合、又は本体（１１１）内部の周りに重ね合わせることにより、コップ、瓶又は缶を含む容器（１００）に組み合わせた後の防滑ダンパーおよび断熱空間を提供する。
【００４７】
上述した切出シート（２０５）又は内壁付シート（２０６、２０７）の形状は、波状又は台形である。
【００４８】
上述した同一環の各切出シート（２０５）又は内壁付シート（２０６、２０７）の形状は、同じ形状又は違う形状である。
【００４９】
上述した別の環の切出シート（２０５）又は内壁付シート（２０６、２０７）は、同じ数量又は違う数量にすることができる。
図２０は本体（１１１）を積み重ねた状態である。
【００５０】
図２０に示すように、本体（１１１）の両側を接合、釘接合、又は係合後の本体（１１１）は円環状であり、かつ加圧され積層状態にすることにより、積み重ねやすく、また使用時に円環状に広げる。
【００５１】
（第十一実施形態）
本考案の第十一実施形態によるカップスリーブを図２１に示す。
図２１に示す本体（１１１）は、カップスリーブ内部で更に１つの環の内側に内壁付シート（２０６）と結合することにより、密閉環状を形成するダンパー部（２００）の模式図である。
【００５２】
図２１に示すように、その構成方式はカップスリーブ内部で更に内壁付シート（２０６）と結合することにより、本体（１１１）のカップスリーブ内部に係合、接合、又は釘接合する。
【００５３】
（第十二実施形態）
本考案の第十二実施形態によるカップスリーブを図２２に示す。
図２２に示す本体（１１１）は、カップスリーブ内部で更に内壁付シート（２０６）の密閉環状を形成するダンパー部（２００）と結合し、および少なくとも１個の内壁付シート（２０７）の密閉環状を形成するダンパー部（２００）により構成される模式図である。
【００５４】
図２２に示すように、その構成方式はカップスリーブ内部更に結合を備え内壁付シート（２０６）、および少なくとも１個の内壁付シート（２０７）を備え、本体（１１１）のカップスリーブ内部に係合、接合、又は釘接合する。
【００５５】
（第十三実施形態）
本考案の第十三実施形態によるカップスリーブを図２３に示す。
図２３に示す本体（１１１）エッジフレームの片側は、外壁付シート（２０８）と結合することにより、ダンパー部（２００）を構成する断面模式図である。
図２３に示すように、その主な構成は次の通りである。
【００５６】
∩字状断面の外壁付シート（２０８）を本体（１１１）の片側にあるエッジフレームに設置し、その外部を通して、本体（１１１）のエッジフレームに係合、接合、又は釘接合し、その内部は外壁付シート（２０８）を備え、ダンパー部（２００）を構成することにより、逆方向ダンパーを形成する。
【００５７】
（第十四実施形態）
本考案の第十四実施形態によるカップスリーブを図２４に示す。
図２４に示す本体（１１１）エッジフレームの両側は、外壁付シート（２０８、２０９）と結合することにより、ダンパー部（２００）を構成する断面模式図である。
図２４に示すように、その主な構成は次の通りである。
【００５８】
∩字状断面の外壁付シート（２０８）、供に設置される本体（１１１）の片側にあるエッジフレームに設置し、その外部を通して、本体（１１１）のエッジフレームに係合、接合、又は釘接合し、その内部は切出シート（２０５）を備えることにより、逆方向ダンパーを形成する。他側の∩字状断面の外壁付シート（２０９）を本体（１１１）の他側にあるエッジフレームに設置し、その外部を通して、本体（１１１）のエッジフレームに係合、接合、又は釘接合し、その内部は外壁付シート（２０９）を備えることにより、先ず内部に曲げるから更に外部に曲げるように繰り返すことにより、両側の外壁付シート（２０８、２０９）によりダンパー部（２００）を構成し、逆方向ダンパーの方向を一致させる。
【００５９】
（第十五実施形態）
本考案の第十五実施形態によるカップスリーブを図２５に示す。
図２５に示す本体（１１１）およびその片側にある一体型シートダンパーシート（２１８）により構成されるダンパー部（２００）の一体構造を示す模式図である。
【００６０】
図２５に示すように、その主な構成は、本体（１１１）およびその片側にある一体型シート（２１８）により構成されるダンパー部（２００）の一体構造である。
【００６１】
（第十六実施形態）
本考案の第十六実施形態によるカップスリーブを図２６に示す。
図２６に示す本体（１１１）およびその両側にある一体型シート（２１８、２１９）により構成されるダンパー部（２００）の一体構造を示す断面模式図である。
【００６２】
図２６に示すように、その主な構成は、本体（１１１）およびその２つの辺側にある一体型シート（２１８、２１９）により構成されるダンパー部（２００）の一体構造は、同じ材料である。その中の片側にある一体型シート（２１８）は、辺側から内部に曲げ、一つの弾性を持つ斜角を形成する。他側の一体型シート（２１９）は、先ず内部に曲げるから更に外部に曲げるように繰り返すことにより、両側の一体型シート（２１８、２１９）によりダンパー部（２００）を構成し、逆方向ダンパーの方向を一致させる。
【００６３】
上述した各ダンパー部（２００）の実施形態は、順方向にコップ、瓶又は缶を含む容器（１００）に被せ、および被せた後逆方向に摩擦ダンパーを強化する構造の説明を制限するものではなく、本考案の創作原理を引用し、同じ機能の幾何構造を類推することができる。
【符号の説明】
【００６４】
１００：容器、
１０１：開口部、
１０２：底部、
１１１：本体、
２００：ダンパー部、
２０１：ダンパーシート、
２０２：シワ付シート、
２０３：波状シート、
２０４：台形シート、
２０５：切出シート、
２０６、２０７：内壁付シート、
２０８、２０９：外壁付シート、
２１１：連結アーム、
２１８、２１９：一体型シート。
【図１】
0003184292.tif 000003
【図２】
0003184292.tif 000004
【図３】
0003184292.tif 000005
【図４】
0003184292.tif 000006
【図５】
0003184292.tif 000007
【図６】
0003184292.tif 000008
【図７】
0003184292.tif 000009
【図８】
0003184292.tif 000010
【図９】
0003184292.tif 000011
【図１０】
0003184292.tif 000012
【図１１】
0003184292.tif 000013
【図１２】
0003184292.tif 000014
【図１３】
0003184292.tif 000015
【図１４】
0003184292.tif 000016
【図１５】
0003184292.tif 000017
【図１６】
0003184292.tif 000018
【図１７】
0003184292.tif 000019
【図１８】
0003184292.tif 000020
【図１９】
0003184292.tif 000021
【図２０】
0003184292.tif 000022
【図２１】
0003184292.tif 000023
【図２２】
0003184292.tif 000024
【図２３】
0003184292.tif 000025
【図２４】
0003184292.tif 000026
【図２５】
0003184292.tif 000027
【図２６】
0003184292.tif 000028